【手続補正書】
【提出日】平成23年9月3日(2011.9.3)
【手続補正１】
【補正対象書類名】特許請求の範囲
【補正対象項目名】全文
【補正方法】変更
【補正の内容】
【特許請求の範囲】
【請求項１】
プロセッサとメモリを含むコンピュータ実装の地理情報システム（ＧＩＳ）であって、
複数の地理空間的エンティティについての非地図製作的な情報を受信するネットワークインタフェイスと、各地理空間的エンティティは、幾何学的配置を持ち、かつ、物理的場所に位置付けられており、ここで、前記情報は複数のウェブサイトから取り込まれ、かつ、該情報は前記地理空間的エンティティの記述の属性を含み、
前記非地図製作的な情報を格納するデータベースと、
前記非地図製作的な情報を使用して且つ格付けメカニズムに従って、地図上での表示のために前記地理空間的エンティティに優先順位付けをするよう構成された格付けモジュールと
を具備する地理情報システム。
【請求項２】
前記非地図製作的な情報は、前記地理空間的エンティティについて利用可能な情報の質、および前記地理空間的エンティティの定義の属性、のうちの一つを更に含む、請求項１のシステム。
【請求項３】
前記非地図製作的な情報は、前記地理空間的エンティティの人気度のインジケータを更に含む、請求項１のシステム。
【請求項４】
前記非地図製作的な情報は、年令属性、名声属性、および重要性属性、のうちの一つを更に含む、請求項１のシステム。
【請求項５】
前記非地図製作的な情報は、地理空間的エンティティの、地理空間的エンティティ階層内のその位置への関連性を更に含む、請求項１のシステム。
【請求項６】
複数のエンティティ内のあるエンティティは、地理空間的オブジェクトの集合を含み、前記エンティティの優先順位は、地理空間的オブジェクトの前記集合の特徴に応じて決定される、請求項１のシステム。
【請求項７】
複数のエンティティ内のあるエンティティは、オンラインフォーラム内で定義された地理空間的エンティティを含み、前記格付けメカニズムは、前記オンラインフォーラム内で生成されたデータを用いて前記地理空間的エンティティの格付けを決定する、請求項１のシステム。
【請求項８】
前記格付けメカニズムは、前記地理空間的エンティティの複数のメタ属性からの重み付けデータの組合せから地理空間的エンティティの優先順位を決定する、請求項１のシステム。
【請求項９】
地理空間的エンティティを格付けするためにコンピュータによって実行される方法であって、
非地図製作的な地理空間的エンティティデータを受信することと、ここで、該データは複数のウェブサイトから取り込まれ、かつ、前記非地図製作的な地理空間的エンティティデータは該地理空間的エンティティの記述の属性を含み、かつ、各地理空間的エンティティは幾何学的配置を持つと共に物理的場所に位置付けられており、
前記受信した非地図製作的な地理空間的エンティティデータ内に含まれる地理空間的エンティティの属性を評価することと、
前記評価に基づいて、地図上での表示のために前記地理空間的エンティティを格付けすることと、
前記格付けした地理空間的エンティティデータを格納すること、
を具備する方法。
【請求項１０】
前記非地図製作的な地理空間的エンティティデータは、コミュニティフォーラム内で生成されたデータを含む、請求項９の方法。
【請求項１１】
前記非地図製作的な地理空間的エンティティデータは、特定ユーザと関係付けられるデータを含み、
前記格付けされた地理空間的エンティティデータを用いて、前記特定ユーザのために地図を生成すること、をさらに具備する請求項９の方法。
【請求項１２】
格付けされた地理空間的エンティティ、および格付けされていない地理空間的エンティティを含む地図を生成するよう構成される地図システムに、前記格付けされた地理空間的エンティティデータを提供すること、をさらに具備する請求項９の方法。
【請求項１３】
地理空間的エンティティの格付けに基づいてナビゲーション命令に含めるために、前記地理空間的エンティティを選択すること、をさらに具備する請求項９の方法。
【請求項１４】
地理空間的エンティティの格付けに基づいて広告用語と関係付けるために、前記地理空間的エンティティを選択することを、をさらに具備する請求項９の方法。
【請求項１５】
前記格付けされた地理空間的エンティティデータに基づいて検索結果を生成するためのアプリケーションに、前記格付けされた地理空間的エンティティデータを提供することを、をさらに具備する請求項９の方法。
【請求項１６】
評価は、個人化された地理空間的エンティティ格付けを提供するために、ユーザ命令に応じて実行される、請求項９の方法。
【請求項１７】
前記ユーザ命令は、前記非地図製作的な地理空間的エンティティデータ内で識別される地理空間的エンティティの属性に適用するための重み付けを含む、請求項１６の方法。
【請求項１８】
地理空間的エンティティを格付けするためのシステムであって、
複数の地理空間的エンティティについての非地図製作的な格付けデータを受信するためのネットワークインターフェースと、ここで、各地理空間的エンティティは幾何学的配置を持つと共に物理的場所に位置付けられており、かつ、前記データは複数のウェブサイトから取り込まれ、かつ、前記データは前記地理空間的エンティティの記述の属性を含み、
前記格付けデータに基づく格付けメカニズムに従って、地図上での表示のために地理空間的エンティティに対する配置格付けを生成するためのエンティティ格付けモジュールと、
前記エンティティ格付けモジュールが生成する格付けエンティティデータを格納するためのデータベースと、
を備えるシステム。
【請求項１９】
前記インターフェースは、前記格付けエンティティデータをリクエストするアプリケーションに提供するよう構成される、請求項１８のシステム。
【請求項２０】
前記エンティティ格付けモジュールは、複数の様々な属性を評価して、地理空間的エンティティに対する合計得点を決定するよう構成される、請求項１８のシステム。
【請求項２１】
前記エンティティ格付けモジュールは、位置マークレイヤ内に格付けエンティティデータを体系化するよう構成される、請求項１８のシステム。
【請求項２２】
各位置マークレイヤは、詳細レベル、密度、高度、およびエンティティカテゴリ、の内の少なくとも一つと対応する請求項２１のシステム。
【請求項２３】
前記リクエストするアプリケーションは、配置格付け基準で選択したエンティティを含む地図を生成するために、前記格付けエンティティデータを用いるよう構成される地図サーバーシステムである、請求項１９のシステム。
【請求項２４】
前記エンティティ格付けモジュールは、前記地図サーバーシステム上でホストされる、請求項２３のシステム。
【請求項２５】
複数の地理空間的エンティティに対する格付けを生成するためのコンピュータプログラムであって、コンピュータに、
複数の地理空間的エンティティを定義するエンティティデータ、および前記複数の地理空間的エンティティを記述する、複数のウェブサイトから取り込まれた、非地図製作的な格付けデータを受信する手順と、ここで、各地理空間的エンティティは幾何学的配置を持つと共に物理的場所に位置付けられており、前記格付けデータは前記地理空間的エンティティの記述の属性を含み、
前記地理空間的エンティティに対する格付けを生成する手順であって、前記格付けは、クライアント装置で表示される地図に複数の地理空間的項目の内のどれを含めるかを選択するために使用されるものである前記手順と、
を実行させるためのコンピュータプログラム。
【請求項２６】
更に、前記コンピュータに、前記クライアント装置のユーザについてのデータを格納する手順を実行させ、前記格付けを生成する前記手順は、前記ユーザについてのデータに応じて格付けメカニズムを適用するよう構成される、請求項２５のコンピュータプログラム。
【請求項２７】
前記ユーザについてのデータは、前記格付けエンジンが評価する属性の相対的重み付けについてのユーザ嗜好を含む、請求項２６のコンピュータプログラム。
【請求項２８】
前記ユーザについてのデータは、ユーザ定義の地理空間的エンティティを含む、請求項２６のコンピュータプログラム。
【請求項２９】
前記ユーザについてのデータは、地理空間的エンティティに対するユーザの興味の指示を含み、前記格付けメカニズムは、前記ユーザの興味に基づいて前記地理空間的エンティティに格付け割増しを割り当てる、請求項２６のコンピュータプログラム。
【請求項３０】
プロセッサとメモリを含むコンピュータ実装の地理情報システム（ＧＩＳ）であって、該地理情報システムは、複数の地理空間的エンティティについての地理的情報を格納している地図サーバーシステムと通信し、
複数の地理空間的エンティティについての非地図製作的な情報を受信するネットワークインタフェイスと、前記地図サーバーシステムにおける各地理空間的エンティティは、幾何学的配置を持つと共に物理的場所に位置付けられており、ここで、前記非地図製作的な情報は複数のウェブサイトから取り込まれ、かつ、該情報は前記地理空間的エンティティの記述の属性を含み、 
各地理空間的エンティティ毎の前記非地図製作的な情報を格納するデータベースと、
地理空間的エンティティのクエリーに応答して、前記非地図製作的な情報を使用して且つ格付けメカニズムに従って、該クエリーに応じた地理空間的エンティティを格付けするよう構成された格付けモジュールと
を具備する地理情報システム。
【請求項３１】
前記非地図製作的な情報は、前記地理空間的エンティティについて利用可能な情報の質、および前記地理空間的エンティティの定義の属性、のうちの一つを更に含む、請求項３０のシステム。
【請求項３２】
前記非地図製作的な情報は、前記地理空間的エンティティの人気度のインジケータを更に含む、請求項３０のシステム。
【請求項３３】
前記非地図製作的な情報は、年令属性、名声属性、および重要性属性、のうちの一つを更に含む、請求項３０のシステム。
【請求項３４】
前記非地図製作的な情報は、地理空間的エンティティの、地理空間的エンティティ階層内のその位置への関連性を更に含む、請求項３０のシステム。
【請求項３５】
複数のエンティティ内のあるエンティティは、地理空間的オブジェクトの集合を含み、前記エンティティの優先順位は、地理空間的オブジェクトの前記集合の特徴に応じて決定される、請求項３０のシステム。
【請求項３６】
複数のエンティティ内のあるエンティティは、オンラインフォーラム内で定義された地理空間的エンティティを含み、前記格付けメカニズムは、前記オンラインフォーラム内で生成されたデータを用いて前記地理空間的エンティティの格付けを決定する、請求項３０のシステム。